(57)【要約】【解決手段】粘土製品を粉砕した細片を凝固剤とともに型枠１内に入れて裏板部素材２とし、その裏板部素材２上に金網３を載せ、粘土製品を粉砕した細片を凝固剤とともに型枠１内に入れてその裏板部素材２及び金網３上に載せた表板部素材４とし、この表板部素材４には細片自体の色により絵柄５を表し、この裏板部素材２と金網３と表板部素材４とを互いに圧縮して凝固剤により一体的に固化し、裏板部素材２を圧縮固化した裏板部と金網３と表板部素材４を圧縮固化した表板部とを互いに積層した粘土パネルを製造する。【効果】廃棄粘土製品を再利用した粘土パネル及び粘土パネルユニットの強度や意匠的効果を高めることができる。粘土パネルを容易に製造することができる。廃棄粘土製品が粘土パネル及び粘土パネルユニットとしての役目を終えた後に最終的に土に帰り、環境保護に寄与することができる。【選択図】図１
2008115619.tif 000002
【特許請求の範囲】
【請求項１】
粘土製品を粉砕した細片を固めた裏板部と表板部とを一体的に固化し、その表板部には細片自体の色により絵柄を表したことを特徴とする粘土パネル。
【請求項２】
粘土製品を粉砕した細片を固めた裏板部と表板部との間に心材を介在させてこの裏板部と心材と表板部とを一体的に固化し、その表板部には細片自体の色により絵柄を表したことを特徴とする粘土パネル。
【請求項３】
前記心材は、裏板部と表板部とを互いにつなぐ複数の貫通孔を有していることを特徴とする請求項２に記載の粘土パネル。
【請求項４】
前記心材は生分解性高分子により成形されていることを特徴とする請求項２または請求項３に記載の粘土パネル。
【請求項５】
前記粘土製品は屋根瓦であることを特徴とする請求項１から請求項４のうちいずれかの請求項に記載の粘土パネル。
【請求項６】
請求項１から請求項５のうちいずれかの請求項に記載の粘土パネルを複数互いに並べて各粘土パネルの表板部に表した絵柄を互いに組み合わせて纏まった絵柄を表したことを特徴とする粘土パネルユニット。
【請求項７】
粘土製品を粉砕した細片を凝固剤とともに型枠内に入れて裏板部素材とし、その裏板部素材上に心材を載せ、粘土製品を粉砕した細片を凝固剤とともに型枠内に入れてその裏板部素材及び心材上に載せた表板部素材とし、この表板部素材には細片自体の色により絵柄を表し、この裏板部素材と心材と表板部素材とを互いに圧縮して凝固剤により一体的に固化し、裏板部素材を圧縮固化した裏板部と心材と表板部素材を圧縮固化した表板部とを互いに積層した粘土パネルを製造することを特徴とする粘土パネルの製造方法。
【発明の詳細な説明】
【技術分野】
【０００１】
本発明は、屋根瓦等の粘土製品を粉砕した細片を再利用した粘土パネル、その粘土パネルを組み合わせた粘土パネルユニット、この粘土パネルの製造方法に関するものである。
【背景技術】
【０００２】
下記特許文献１では、廃焼き物を粉砕した吸水性材料を屋根瓦製造用粘土材料の一部などの各種用途に有効的に再利用することが開示されている。
【特許文献１】特開２００４−３３０９４号公報
【発明の開示】
【発明が解決しようとする課題】
【０００３】
このように上記吸水性材料を固化して建築材等に有効的に再利用する場合、特に薄いパネル状の建築材等では、装飾効果に欠ける問題や強度が低くなる問題がある。
この発明は、廃棄粘土製品を再利用した粘土パネル及び粘土パネルユニットの意匠的効果や強度を高めることを目的としている。また、この発明は、この粘土パネルを容易に製造する方法を提供することを目的としている。
【課題を解決するための手段】
【０００４】
後記実施形態の図面（図１〜３）の符号を援用して本発明を説明する。
請求項１の発明にかかる粘土パネル６においては、粘土製品を粉砕した細片を固めた裏板部２Ａと表板部４Ａとを一体的に固化し、その表板部４Ａには細片自体の色により絵柄５を表している。請求項１の発明では、廃棄粘土製品を粉砕した細片を粘土パネル６として有効的に再利用することができるとともに、粘土パネル６の意匠的効果を高めることができる。
【０００５】
請求項２の発明にかかる粘土パネル６においては、粘土製品を粉砕した細片を固めた裏板部２Ａと表板部４Ａとの間に心材３を介在させてこの裏板部２Ａと心材３と表板部４Ａとを一体的に固化し、その表板部４Ａには細片自体の色により絵柄５を表している。請求項２の発明では、廃棄粘土製品を粉砕した細片を粘土パネル６として有効的に再利用することができるとともに、粘土パネル６の意匠的効果を高めることができる。さらに、粘土パネル６内の心材３により粘土パネル６の強度を高めることができる。
【０００６】
請求項２の発明を前提とする請求項３の発明において、前記心材は、例えば金網３等の網体であって、裏板部２Ａと表板部４Ａとを互いにつなぐ複数の貫通孔（例えば金網３で縦横の針金間の孔）を有している。請求項３の発明では、金網３等の心材の各貫通孔を通じて裏板部２Ａと表板部４Ａとが互いにつながるので、粘土パネル６の強度をより一層高めることができる。
【０００７】
請求項２または請求項３の発明を前提とする請求項４の発明において、前記心材３は生分解性高分子により成形されている。請求項４の発明では、心材３を自然分解させることができる。
【０００８】
請求項１から請求項４のうちいずれかの請求項の発明を前提とする請求項５の発明において、前記粘土製品は屋根瓦である。請求項５の発明では、廃棄屋根瓦を有効的に再利用してリサイクルすることができる。
【０００９】
請求項６の発明にかかる粘土パネルユニット７においては、請求項１から請求項５のうちいずれかの請求項の発明にかかる粘土パネル６を複数互いに並べて各粘土パネル６の表板部４Ａに表した絵柄５を互いに組み合わせて纏まった絵柄８を表している。請求項６の発明では、モザイクとしての粘土パネルユニット７により意匠的効果を高めることができる。
【００１０】
請求項７の発明にかかる粘土パネルの製造方法においては、粘土製品を粉砕した細片を凝固剤とともに型枠１内に入れて裏板部素材２とし、その裏板部素材２上に心材３を載せ、粘土製品を粉砕した細片を凝固剤とともに型枠１内に入れてその裏板部素材２及び心材３上に載せた表板部素材４とし、この表板部素材４には細片自体の色により絵柄５を表し、この裏板部素材２と心材３と表板部素材４とを互いに圧縮して凝固剤により一体的に固化し、裏板部素材２を圧縮固化した裏板部２Ａと心材３と表板部素材４を圧縮固化した表板部４Ａとを互いに積層した粘土パネル６を製造する。請求項７の発明では、請求項２または請求項３または請求項４の発明にかかる粘土パネル６を容易に製造することができる。
【発明の効果】
【００１１】
請求項１〜６の発明は、廃棄粘土製品を再利用した粘土パネル６及び粘土パネルユニット７の意匠的効果や強度を高めることができる。請求項７の発明は粘土パネル６を容易に製造することができる。従って、廃棄粘土製品が粘土パネル６及び粘土パネルユニット７としての役目を終えた後に最終的に土に帰り、環境保護に寄与することができる。
【発明を実施するための最良の形態】
【００１２】
以下、本発明の一実施形態について図面を参照して説明する。
図２（ａ）（ｂ）に示す粘土パネル６は、下記の工程を経て製造される。
まず、収集した建築用粘土製品を破砕機により粉砕して多数の細片を製造する。この建築用粘土製品としては廃棄屋根瓦を再利用するが、廃棄屋根瓦以外の各種用途の廃棄粘土焼成品を再利用してもよい。これらの細片を０．５〜１０ｍｍ程度の大きさごとに複数種類に分類する。これらの細片のうち彩色の必要な細片を釉薬に浸けた後に乾燥して焼成する。従って、用意された多数の細片としては、このようにして彩色処理された細片と、粉砕当初から彩色されているためにこのような彩色処理が必要のない細片と、粉砕当初のままで彩色されていない細片とに分けることができる。
【００１３】
まず、図１（ａ）に示すように、彩色されていない細片を凝固剤とともに型枠１内に入れて裏板部素材２とする。
次に、図１（ｂ）に示すように、その裏板部素材２上に心材としての金網３を載せる。
【００１４】
次に、図１（ｃ）に示すように、彩色された細片のみを、または、彩色された細片及び彩色されていない細片を凝固剤とともに型枠１内に入れてその裏板部素材２及び金網３上に載せた表板部素材４とする。その際、図１（ｅ）に示すように、この表板部素材４上には各細片を互いに組み合わせて細片自体の色により絵柄５を表す。この絵柄５としては、広く解釈し、未完成な絵柄片や完成されて纏まった絵柄も含み、意匠的効果を発揮するすべてのものを含む概念で用いる。
【００１５】
次に、図１（ｄ）に示すように、この裏板部素材２と金網３と表板部素材４とを互いに圧縮して凝固剤により一体的に固化する。従って、図２（ａ）（ｂ）に示すように、裏板部素材２を圧縮した裏板部２Ａと金網３と表板部素材４を圧縮した表板部４Ａとを互いに積層した粘土パネル６を製造することができる。その後、この粘土パネル６を型枠１から取り出す。
【００１６】
図２（ａ）（ｂ）に示すように、この粘土パネル６においては、裏板部２Ａと表板部４Ａとの間に金網３が介在された状態でこの裏板部２Ａと金網３と表板部４Ａとが凝固剤により一体的に固化されている。その表板部４Ａ上には前述した絵柄５が残る。
【００１７】
図３に示す粘土パネルユニット７においては、前記粘土パネル６が複数互いに並べられ、各粘土パネル６の表板部４Ａに表した絵柄５（未完成な絵柄片）が互いに組み合わされて完成された纏まった絵柄８となっている。
【００１８】
このように製造された粘土パネル６や粘土パネルユニット７は、例えば、建物の装飾壁や道路の装飾面など、各種用途に利用される。
本実施形態は下記の効果を有する。
【００１９】
＊  粘土パネル６は、粘土瓦を粉砕した細片を圧縮固化して多孔質にしたものであるため、透水性や保水性や吸音性に優れ、遊歩道や公園や駐車場や建物の壁や屋上の屋根などの表層材として使用することができる。
【００２０】
＊  粘土パネル６の表板部４Ａには細片自体の各種色の組み合わせにより絵柄５を表すことができるため、カラフルになって意匠的効果を高めることができる。
＊  粘土パネル６を組み合わせたモザイクとしての粘土パネルユニット７により、道路面や建物の壁面や屋上の屋根面などの意匠的効果を高めることができる。
【００２１】
＊  粘土パネル６は石や砂やアスファルトと比較して軽量であるため、設置作業効率が良く、用途も広い。
＊  粘土パネル６内の金網３により、粘土パネル６の強度を高めることができる。
【００２２】
＊  金網３には縦横の針金間で多数の貫通孔を有しているため、その貫通孔を通じて裏板部２Ａと表板部４Ａとが互いにつながり、粘土パネル６の強度をより一層高めることができる。
【００２３】
前記実施形態以外にも下記のように構成してもよい。
・  心材としては、複数の貫通孔を有する網体としての金網３以外に、例えば複数の貫通孔を有する多孔板を利用する。
【００２４】
・  網体や多孔板などの心材を自然分解させることができる生分解性高分子により成形する。
・  前述した実施形態で粘土パネル６は裏板部２Ａと金網３と表板部４Ａとによる三層に成形されているが、粘土パネル６を四層以上に成形してもよい。
【００２５】
・  心材としての金網３を省略する。
【図面の簡単な説明】
【００２６】
【図１】（ａ）（ｂ）（ｃ）（ｄ）はそれぞれ粘土パネルの製造工程を概略的に示す断面図であり、（ｅ）は（ｃ）の平面図である。
【図２】（ａ）は本実施形態にかかる粘土パネルを概略的に示す平面図であり、（ｂ）は同じく断面図である。
【図３】本実施形態にかかる粘土パネルユニットを概略的に示す平面図である。
【符号の説明】
【００２７】
１…型枠、２…裏板部素材、２Ａ…裏板部、３…心材としての金網、４…表板部素材、４Ａ…表板部、５，８…絵柄、６…粘土パネル、７…粘土パネルユニット。
【図１】
2008115619.tif 000003
【図２】
2008115619.tif 000004
【図３】
2008115619.tif 000005